(57)【要約】【課題】  移動端末の電池残量から位置登録エリアを変更し、電池延命する位置登録制御システムを提供する。【解決手段】  位置登録制御システムは、ネットワーク制御装置１０と移動端末２０を備える。ネットワーク制御装置１０は、制御側送信手段１１が報知情報を移動端末２０に送信し、制御側受信手段１２が移動端末２０から電池残量を含む位置登録要求情報を受信し、エリア設定手段１３が電池残量から制御側位置登録エリア情報１３ａを設定する。移動端末２０は、端末側送信手段２１が位置登録要求生成手段２６からの位置登録要求情報をネットワーク制御装置１０へ送信し、端末側受信手段２２が報知情報を受信し、電池残量検知手段２３が電池残量情報２３ａを検知し、エリア選択手段２４が電池残量から端末側位置登録エリア情報２４ａを設定し、移動検知手段２５が移動検知し、周期報告手段２７が位置登録要求情報を周期出力し、報告間隔変更手段２７１が電池残量から周期変更する。【選択図】    図１
2010081342.tif 000002
【特許請求の範囲】
【請求項１】
基地局を介して、位置登録エリアを含む報知情報を移動端末に送信し、当該報知情報の応答として当該移動端末から受信した位置登録要求情報に基づいて当該移動端末の位置登録を行い、当該移動端末の通信を制御するネットワーク制御装置において、
電池残量ごとにパターン化された複数の管理レベルに区分され、当該管理レベル及び当該管理レベルに含まれる位置登録エリアを特定する前記報知情報を前記移動端末に少なくとも送信する制御側送信手段と、
前記移動端末から前記移動端末の電池残量を含む位置登録要求情報を少なくとも受信する制御側受信手段と、
前記位置登録要求情報に基づいて、前記電池残量の増減とともに前記移動端末に対する前記位置登録エリアを可変に設定するエリア設定手段とを備える
ネットワーク制御装置。
【請求項２】
ネットワーク制御装置から受信した位置登録エリアを含む報知情報の応答として、現在地の位置情報を含む位置登録要求情報を少なくとも電源起動時に当該ネットワーク制御装置へ送信する端末側送信手段を備える移動端末について、
電池残量ごとにパターン化された複数の管理レベルに区分され、当該管理レベル及び当該管理レベルに含まれる位置登録エリアを特定する前記報知情報を受信する端末側受信手段と、
電池残量を検知する電池残量検知手段と、
前記受信した報知情報及び前記検知した電池残量に基づいて、前記複数の管理レベルのいずれかを選択するエリア選択手段と、
前記検知された電池残量を含めて前記位置登録要求情報を生成する位置登録要求生成手段とを備え、
前記端末側送信手段が、前記位置登録要求生成手段により生成された位置登録要求情報を前記ネットワーク制御装置へ送信する
移動端末。
【請求項３】
請求項２に記載の移動端末において、
前記エリア選択手段により特定された位置登録エリアに基づいて、当該位置登録エリア間の移動が発生したかを検知する移動検知手段を備え、
前記位置登録要求生成手段が、前記電池残量が変化した場合又は前記位置登録エリア間の移動が発生した場合に、前記電池残量を含めた前記位置登録要求情報を生成する
移動端末。
【請求項４】
請求項２又は請求項３に記載の移動端末において、
一定の周期時間に基づいて前記位置登録要求情報を周期的に前記端末側送信手段へ出力する周期報告手段と、
前記電池残量に基づいて動的に前記周期時間を変更する報告間隔変更手段とを備える
移動端末。
【請求項５】
請求項２ないし請求項４に記載の移動端末において、
一定時間内に発生した着信回数に基づいて着信頻度を検出する着信頻度検出手段と、
前記着信頻度の増大とともに、前記位置登録要求情報における電池残量を増大させたものと擬制する電池残量擬制手段とを備える
移動端末。
【請求項６】
請求項５に記載の移動端末において、
前記電池残量検知手段により検知された電池残量及び前記着信頻度検出手段により検出された着信頻度に基づいて、前記電池残量擬制手段による電池残量の擬制の度合いを調整する調整手段を備える
移動端末。
【請求項７】
請求項１に記載のネットワーク制御装置と、請求項２ないし請求項６に記載の移動端末とを組み合せて構成される
位置登録制御システム。
【発明の詳細な説明】
【技術分野】
【０００１】
本発明は、移動無線ネットワークにおいて基地局を中継して移動端末の位置登録制御を行う位置登録制御システムに関して、特に移動端末のバッテリー残量に応じて位置登録エリアを動的に変更することにより、移動端末のバッテリー消費を抑えてバッテリー寿命を延長させる位置登録制御システムの提供を目的とする。
【背景技術】
【０００２】
基地局を中継して移動端末間の無線通信を行うネットワーク制御装置は、無線通信を開始するための報知情報を移動端末に送信し、当該移動端末から当該報知情報の応答である位置登録要求を受信し、当該位置登録要求に応じて当該移動端末の位置登録を行う。当該位置登録は、当該移動端末の位置を特定するＬｏｃａｔｉｏｎ Ａｒｅａ；位置登録エリア（以下、ＬＡという）を選択することにより行われる。なお、ＬＡは、基地局の電波が届く範囲として区画化されたエリアとしての１又は複数のセルから構成される。当該位置登録要求は、移動端末からの周期的な送信の他に、移動端末の電源がＯＮとなった場合や、移動端末がＬＡの境界を越えて異なるＬＡに移動した場合にも移動端末から基地局に送信される。
【０００３】
しかし、移動端末は、ＬＡ間を移動する都度に基地局に対して前記位置登録を要求するため、移動時には静止時よりもバッテリーを浪費してしまう。このため、移動端末は、ＬＡ相互間の移動が頻繁に発生すると、移動頻度に比例してバッテリー消費が多くなるという問題を有する。移動端末は、現状として、様々なアプリケーションを備えているために、電池寿命の著しい長寿化が要求されるとともに、当該バッテリー消費の問題解決が要求されている。
【０００４】
従来の位置登録制御システムは、移動端末の位置登録や着信回数により位置登録エリアを変化させ、ネットワーク側の制御トラヒックの増大を改善するものがある（例えば、特許文献１参照）。また、従来の位置登録制御システムは、移動端末がバッテリー残量を検知し、移動端末側の制御にて前記報知情報の受信頻度や位置登録の要求頻度を変更するものがある（例えば、特許文献２参照）。また、従来の位置登録制御システムは、移動端末が位置登録エリアとしてのセルに対して、セル間移動としてのセルリセレクションを繰り返す回数を保持しておき、当該セルリセレクション回数の閾値を超えた場合にセル範囲を変更するものがある（例えば、特許文献３参照）。
【特許文献１】特開平３−２３７４６２号公報
【特許文献２】特開平７−３０３０７７号公報
【特許文献３】国際公開ＷＯ２００８−１４５２号公報
【発明の開示】
【発明が解決しようとする課題】
【０００５】
しかし、従来の位置登録制御システムは、移動端末のバッテリー残量を無視して位置移動や着信回数により位置登録エリアを変化させる場合には、バッテリー残量が少ない移動端末に対して充電切れを促進させるという課題を有する。また、従来の位置登録制御システムは、バッテリー残量に応じて移動端末のみの位置登録エリアを変化させるものがあるが、この場合には、位置登録の要求頻度を減らすことにより移動端末間の通信を中継するネットワーク制御装置と移動端末との通信の同期にタイムラグを生じる可能性があり、移動端末の着信が行えない不通期間を生じる虞があるという課題を有する。
【０００６】
本発明は、前記課題を解消するためになされたもので、移動端末のバッテリー残量に応じて、ネットワーク制御装置及び移動端末における位置登録エリアを動的に変化させ、移動端末のバッテリー消費を改善する位置登録制御システムの提供を目的とする。
【課題を解決するための手段】
【０００７】
本願に開示するネットワーク制御装置は、基地局を介して、位置登録エリアを含む報知情報を移動端末に送信し、当該報知情報の応答として当該移動端末から受信した位置登録要求情報に基づいて当該移動端末の位置登録を行い、当該移動端末の通信を制御するネットワーク制御装置において、電池残量ごとにパターン化された複数の管理レベルに区分され、当該管理レベル及び当該管理レベルに含まれる位置登録エリアを特定する前記報知情報を前記移動端末に少なくとも送信する制御側送信手段と、前記移動端末から前記移動端末の電池残量を含む位置登録要求情報を少なくとも受信する制御側受信手段と、前記位置登録要求情報に基づいて、前記電池残量の増減とともに前記移動端末に対する前記位置登録エリアを可変に設定するエリア設定手段とを備えるものである。このように、本願に開示するネットワーク制御装置は、移動端末の電池残量に応じて位置登録エリアを移動端末毎に制御することから、電池残量に相応な必要最低限の位置登録を行えることとなり、計算機資源を効率的に使用することができる。
【０００８】
また、本願に開示する移動端末は、ネットワーク制御装置から受信した位置登録エリアを含む報知情報の応答として、現在地の位置情報を含む位置登録要求情報を少なくとも電源起動時に当該ネットワーク制御装置へ送信する端末側送信手段を備える移動端末について、電池残量ごとにパターン化された複数の管理レベルに区分され、当該管理レベル及び当該管理レベルに含まれる位置登録エリアを特定する前記報知情報を受信する端末側受信手段と、電池残量を検知する電池残量検知手段と、前記受信した報知情報及び前記検知した電池残量に基づいて、前記複数の管理レベルのいずれかを選択するエリア選択手段と、前記検知された電池残量を含めて前記位置登録要求情報を生成する位置登録要求生成手段とを備え、前記端末側送信手段が、前記位置登録要求生成手段により生成された位置登録要求情報を前記ネットワーク制御装置へ送信するものである。このように、本願に開示する移動端末は、電池残量に応じて最適な管理レベルの位置登録エリアを選択することから、電池残量に相応な必要最低限の位置登録要求を行えることとなり、バッテリー消費を抑制することができる。
【０００９】
また、本願に開示する移動端末は必要に応じて、前記エリア選択手段により特定された位置登録エリアに基づいて、当該位置登録エリア間の移動が発生したかを検知する移動検知手段を備え、前記位置登録要求生成手段が、前記電池残量が変化した場合又は前記位置登録エリア間の移動が発生した場合に、前記電池残量を含めた前記位置登録要求情報を生成するものである。このように、本願に開示する移動端末は、電池残量が変化した場合又は前記位置登録エリア間の移動が発生した場合に、電池残量を含めた前記位置登録要求情報を生成することから、最新の状況を反映した前記位置登録要求情報を前記ネットワーク制御装置に送信することとなり、前記ネットワーク制御装置との前記位置登録エリアの連携精度を高め、さらに効率良くバッテリー消費を抑制することができる。
【００１０】
また、本願に開示する移動端末は必要に応じて、一定の周期時間に基づいて前記位置登録要求情報を周期的に前記端末側送信手段へ出力する周期報告手段と、前記電池残量に基づいて動的に前記周期時間を変更する報告間隔変更手段とを備えるものである。このように、本願に開示する移動端末は、電池残量に応じて動的に設定される周期時間に基づいて、前記位置登録要求情報を周期的に前記ネットワーク制御装置に送信することから、電池残量に応じた頻度で周期的に前記位置登録要求情報を前記ネットワーク制御装置へ送信することとなり、バッテリー消費を抑制しつつ、前記ネットワーク制御装置との間で最新の前記位置登録エリアを連携することができる。
【００１１】
また、本願に開示する移動端末は必要に応じて、一定時間内に発生した着信回数に基づいて着信頻度を検出する着信頻度検出手段を備え、前記着信頻度の増大とともに、前記位置登録要求情報に含まれる電池残量を増大させたものと擬制する電池残量擬制手段とを備えるものである。このように、本願に開示する移動端末は、着信頻度を検出し、当該着信頻度の増大とともに、前記位置登録要求情報に含まれる電池残量を増大させたものとみなすことから、着信を頻繁に受信する場合には、前記ネットワーク制御装置から範囲を狭めた前記位置登録エリアに対して当該着信の呼び出しが行われることとなり、前記ネットワーク制御装置間のネットワーク負荷を軽減することができる。
【００１２】
また、本願に開示する移動端末は必要に応じて、前記電池残量検知手段により検知された電池残量及び前記着信頻度検出手段により検出された着信頻度に基づいて、前記電池残量擬制手段による電池残量の擬制の度合いを調整する調整手段を備えるものである。このように、本願に開示する移動端末は、電池残量及び着信頻度に応じて前記電池残量擬制手段による電池残量の擬制の度合いを調整することから、着信頻度と実際の電池残量との最適なバランスを考慮して前記位置登録要求情報に含まれる電池残量を擬制することとなり、前記ネットワーク制御装置との通信によるネットワーク負荷の軽減とバッテリー消費の抑制との最適な両立を実現することができる。
【００１３】
また、本願に開示する位置登録制御システムは、前記ネットワーク制御装置及び前記移動端末を組み合せて構成されるものである。このように、本願に開示する位置登録制御システムは、前記ネットワーク制御装置及び前記移動端末を組み合せて構成されることから、常に最新の状況を反映した前記位置登録要求情報を設定できることとなり、前記ネットワーク制御装置と前記移動端末とのタイムラグによる前記位置登録エリアの認識相違を抑制して前記位置登録エリアの設定精度を高め、前記移動端末のバッテリー消費の抑制及び前記ネットワーク制御装置におけるネットワーク負荷の軽減を効率良く実現することができる。
【発明を実施するための最良の形態】
【００１４】
（本発明の第１の実施形態）
以下、本発明の第１の実施形態に係る位置登録制御システムを、図１から図８に基づいて説明する。
この図１は本発明の第１の実施形態に係る位置登録制御システムの構成を示すブロック図、図２は図１に記載された位置登録制御システムのデータレイアウト例、図３は図１に記載された位置登録制御システムの全体構成図、図４は図１に記載された位置登録制御システムの報知情報通知及び位置登録要求のシーケンス図、図５は図１に記載された位置登録制御システムの制御側位置登録エリア情報のデータ例、図６は図１に記載された位置登録制御システムの着信時のページング要求のシーケンス図、図７は図１に記載された位置登録制御システムのバッテリー残量に応じたＬＡ設定例（１／２）、図８は図１に記載された位置登録制御システムのバッテリー残量に応じたＬＡ設定例（２／２）を示す。
【００１５】
図１において、本実施形態に係る位置登録制御システムは、ネットワーク制御装置１０と移動端末２０とから構成される。このネットワーク制御装置１０は、電池残量ごとにパターン化された複数の管理レベルに区分され、この管理レベル及びこの管理レベルに含まれる位置登録エリアを特定する報知情報を移動端末２０に少なくとも送信する制御側送信手段１１と、この移動端末２０からこの移動端末２０の電池残量としてのバッテリー残量を含む位置登録要求情報を少なくとも受信する制御側受信手段１２と、この位置登録要求情報に基づいて、このバッテリー残量の増減とともにこの移動端末２０に対する位置登録エリアを可変に設定して制御側位置登録エリア情報１３ａに登録するエリア設定手段１３とを備える。
【００１６】
また、図１において、前記移動端末２０は、現在地の位置情報を含む位置登録要求情報を少なくとも電源起動時に前記ネットワーク制御装置１０へ送信する端末側送信手段２１と、電池残量としてのバッテリー残量ごとにパターン化された複数の管理レベルに区分され、この管理レベル及び管理レベルに含まれる位置登録エリアを特定する前記報知情報を受信する端末側受信手段２２と、バッテリー残量を電池残量情報２３ａに基づいて検知する電池残量検知手段２３と、 この受信した報知情報及び検知したバッテリー残量に基づいて、前記複数の管理レベルのいずれかを選択し、選択した位置登録エリアを端末側位置登録エリア情報２４ａに登録するエリア選択手段２４と、この端末側位置登録エリア情報２４ａに基づいて、この位置登録エリア間の移動が発生したかを検知する移動検知手段２５と、検知されたバッテリー残量を含めてこの位置登録要求情報を生成する位置登録要求生成手段２６と、一定の周期時間に基づいてこの位置登録要求情報を周期的にこの端末側送信手段２１へ出力する周期報告手段２７と、バッテリー残量に基づいて動的にこの周期時間を変更する報告間隔変更手段２７１とを備える。
【００１７】
前記電池残量情報２３ａは、図２（ａ）に示すように、バッテリー残量項目と、バッテリー残量レベル項目を備えることができる。このバッテリー残量項目は、前記移動端末２０の電池残量としてのバッテリー残量をワット単位で示す。このバッテリー残量レベル項目は、バッテリー残量に応じて区分化したバッテリー残量レベルを示し、例えば、バッテリー残量の多いものから、バッテリー残量レベル１、バッテリー残量レベル２、バッテリー残量レベル３と３段階に区分化することができる。
【００１８】
また、前記制御側位置登録エリア情報１３ａは、同図（ｂ）に示すように、ページングリストＤＢと、ユーザリストＤＢとを備えることができる。このページングリストＤＢは、前記位置登録エリアとしてのＬＡのリストを前記バッテリー残量レベル毎に示す。また、このユーザリストＤＢは、前記移動端末２０のユーザに関して最新情報のバッテリー残量を含めたＬＡ情報や契約情報を示す。
【００１９】
前記ページングリストＤＢは、同図（ｂ−１）に示すように、基地局項目と、基地局対応セル項目と、バッテリー残量レベル１対応ＬＡ項目と、バッテリー残量レベル２対応ＬＡ項目と、バッテリー残量レベル３対応ＬＡ項目とを備えることができる。この基地局項目は、基地局を特定する基地局名称を示す。また、この基地局対応セル項目は、この特定された基地局の電波が届く範囲であるセルを示す。また、このバッテリー残量レベル１対応ＬＡ項目からバッテリー残量レベル３対応ＬＡ項目は、各々前記電池残量情報２３ａにおけるバッテリー残量レベル１からバッテリー残量レベル３に対応するＬＡを示す。
【００２０】
また、前記ユーザリストＤＢは、同図（ｂ−２）に示すように、加入者番号項目と、契約情報項目と、ＬＡ項目と、バッテリー残量レベル項目とを備えることができる。この加入者番号項目は、前記移動端末２０を契約して所持する加入者であるユーザを特定する番号を示す。また、この契約情報項目は、このユーザの移動端末２０に関する契約情報を示す。また、このＬＡ項目は、この移動端末２０が現在どのＬＡ配下に存在するかを示す。また、このバッテリー残量レベル項目は、この移動端末２０の前記バッテリー残量レベルを示す。
【００２１】
また、前記端末側位置登録エリア情報２４ａは、同図（ｃ）に示すように、ＬＡ項目と、ページング送信先セル項目とを備えることができる。このＬＡ項目は、ＬＡを特定するＬＡ名称を示す。また、このページング送信先セル項目は、この特定されたＬＡに含まれるセルを示す。
【００２２】
また、本実施形態に係る位置登録制御システムは、図３に示すように、上位ノード１０Ａと、無線ネットワーク装置１０Ｂと、基地局１０Ｃと、前記移動端末２０とを備えることができる。ここで、この上位ノード１０Ａと、この無線ネットワーク装置１０Ｂと、この基地局１０Ｃとは、前記ネットワーク制御装置１０を階層的に機能分割したものに相当し、前記制御側送信手段１１と、前記制御側受信手段１２と、前記制御側位置登録エリア情報１３ａを管理する前記エリア設定手段１３とを各々備える。また、各々の基地局１０Ｃは、電波が届く範囲として複数に区画化されたセル、例えばセルＡからセルＥまでのセルのうち各々電波が届く範囲のセルを認識する。
【００２３】
この上位ノード１０Ａは、前記ユーザリストＤＢ１３ａ−２を備え、前記移動端末２０のユーザ管理及び着信制御を行う。また、この無線ネットワーク装置１０Ｂは、前記ページングリストＤＢ１３ａ−１を備え、ページング制御を行う。また、この基地局１０Ｃは、前記セルを単位として無線電波を送信し、この上位ノード１０Ａ及び無線ネットワーク装置１０Ｂからの制御に従い、前記移動端末２０との無線通信を中継する。
【００２４】
以下、前記構成に基づく本実施形態の位置登録制御システムの動作について説明する。
まず、前記無線ネットワーク装置１０Ｂは、図４（ａ）に示すように、各ＬＡに対応する前記基地局１０Ｃ及びセルを定義するページングリストを前記ページングリストＤＢ１３ａ−１に作成する（Ｓ１）。
【００２５】
このページングリストは、図５（ａ）に示すように、バッテリー残量ごとに定義される。例えば、”ＬＡ１”で定義されるＬＡは、バッテリー残量が最も多いバッテリー残量レベル１では、基地局１のセル１−１からセル１−ｎまでを包含し、バッテリー残量レベル２では、基地局１のセル１−１からセル２−ｎまでエリアを拡大して包含する。
【００２６】
さらに、この”ＬＡ１”で定義されるＬＡは、バッテリー残量が最も少ないバッテリー残量レベル３では、基地局１のセル１−１から基地局２のセル４−ｎまでエリアを拡大して包含する。このように、前記移動端末２０のバッテリー残量に応じて位置登録エリアとしてのＬＡを移動端末２０ごとに制御することから、バッテリー残量に相応な必要最低限の位置登録を行えることとなり、計算機資源を効率的に使用することができる。
【００２７】
次に、前記無線ネットワーク装置１０Ｂは、図４（ａ）に示すように、前記ページングリストＤＢ１３ａ−１に基づいて前記基地局１０ＣにＬＡ情報を通知する（Ｓ２）。前記基地局１０Ｃは、このＬＡ情報に基づいて、前記移動端末２０に前記報知情報を送信する（Ｓ３）。
【００２８】
前記移動端末２０は、この報知情報を受信し、前記電池残量検知手段２３により前記電池残量情報２３ａに示されたバッテリ−残量レベルを検知し、前記エリア選択手段２４によりこの報知情報に含まれるＬＡ情報のうちこのバッテリー残量レベルと一致するＬＡ情報を前記端末側位置登録エリア情報２４ａに登録する（Ｓ４）。このバッテリー残量レベルは、例えば、バッテリ−残量を区分化する閾値を用いて、前記電池残量検知手段２３により定期的に、前記電池残量情報２３ａのバッテリ−残量とこの閾値とを比較して演算されることができる。また、前記電池残量検知手段２３は、この演算されたバッテリー残量レベルを前記電池残量情報２３ａに登録する。前記エリア選択手段２４は、例えば、このバッテリー残量がバッテリー残量レベル２の場合には、図５（ａ）に記載された３つのＬＡ情報のうち図５（ａ−２）で示されるＬＡ情報を選択して、前記端末側位置登録エリア情報２４ａに登録する。
【００２９】
次に、前記移動端末２０は、前記端末側位置登録エリア情報２４ａに基づいて前記移動検知手段２５によりＬＡ間移動を検知した場合や、前記電池残量検知手段２３によりバッテリー残量の変化を検知した場合や、前記周期報告手段２７により周期時間に応じた周期的なタイミングの発生を検知した場合に、前記位置登録要求生成手段２６によりバッテリー残量を含めた位置登録要求情報を生成する。このＬＡ間移動は、例えば、図３に示すように、前記移動端末２０が、セルＡからセルＡとは異なるＬＡに属するセルＤへ移動した場合に認識される。このように、前記移動端末２０は、バッテリー残量に応じて最適な管理レベルのＬＡを選択することから、バッテリー残量に応じた必要最低限の位置登録要求を行えることとなり、バッテリー消費を抑制することができる。
【００３０】
前記移動端末２０は、図４（ｂ）に示すように、前記端末側位置登録エリア情報２４ａに基づいて、前記端末側送信手段２１によりバッテリー残量を含めた位置登録要求情報を前記上位ノード１０Ａに送信する（Ｓ１１）。このように、前記端末側送信手段２１は、バッテリー残量を含めた位置登録要求情報の送信に関して、周期的な送信の他にＬＡ間移動の発生時やバッテリー残量の変化時にも位置登録要求情報を送信することから、最新の状況を反映した前記位置登録要求情報を前記上位ノード１０Ａに送信することとなり、前記上位ノード１０ＡとのＬＡの連携精度を高め、さらに効率良くバッテリー消費を抑制することができる。
【００３１】
また、前記報告間隔変更手段２７１は、前記電池残量検知手段２３により検知されるバッテリー残量に基づいて、前記周期時間を動的に変更することができる。前記報告間隔変更手段２７１は、例えば、このバッテリー残量が少なくなるにつれて、前記周期時間を長く設定することができる。このように、前記移動端末２０は、前記報告間隔変更手段２７１による周期時間の動的な設定により、バッテリー残量に応じた頻度で周期的に位置登録要求情報を前記上位ノード１０Ａへ送信することとなり、バッテリー消費を抑制しつつ、前記上位ノード１０Ａとの間で最新のバッテリー残量及びＬＡを連携することができる。
【００３２】
前記上位ノード１０Ａは、前記制御側受信手段１２によりこの位置登録要求を受信し、この位置登録要求に基づいてこの移動端末２０に関して前記ユーザリストＤＢ１３ａ−２に登録を行う（Ｓ１２）。前記ユーザリストＤＢ１３ａ−２は、例えば、図５（ｂ）に示すように、加入者番号が”ｂｂｂｂｂｂｂｂｂｂｂ”であり契約情報が”ロークラス”のユーザから、バッテリー残量レベルが”レベル２”であり”ＬＡ１”で示されるＬＡに所在する位置登録要求を受信した場合には、この受信した内容を前記エリア設定手段１３により登録される。また、前記上位ノード１０Ａは、前記登録により、前記移動端末２０に関する位置登録を完了し、この位置登録完了の通知をこの移動端末２０に送信する（Ｓ１３）。前記移動端末２０は、この通知を受けた場合には、送信した位置登録要求の内容が確定されたと判断し、この位置登録要求の内容を前記端末側位置登録エリア情報２４ａに登録する（Ｓ１４）。
【００３３】
次に、前記上位ノード１０Ａは、図６に示すように、前記移動端末２０への着信時に、この着信信号としてのページング要求を前記制御側受信手段１２により受信する（Ｓ２１）。前記上位ノード１０Ａは、前記ユーザリストＤＢ１３ａ−２に基づいて、前記エリア設定手段１３により着信先の移動端末２０の属するＬＡ及びバッテリー残量を確認する（Ｓ２２）。
【００３４】
前記上位ノード１０Ａは、前記無線ネットワーク装置１０Ｂにこの確認されたＬＡ及びバッテリー残量を含むページング要求を送信する（Ｓ２３）。この無線ネットワーク装置１０Ｂは、前記ページングリストＤＢ１３ａ−１に基づいて、このバッテリー残量に応じたＬＡに属する前記基地局１０Ｃに対してページング要求を行う。（Ｓ２４）。
【００３５】
前記基地局１０Ｃは、このページング要求の宛先とされた移動端末２０がこの基地局１０Ｃの管理するセルに含まれる場合には、この移動端末２０に着信要求を発信する（Ｓ２５）。この移動端末２０は、この基地局１０Ｃからの着信要求を受信し、前記無線ネットワーク装置１０Ｂに着信応答を行い、通信を開始する（Ｓ２６）。
【００３６】
このように、前記位置登録制御システムは、例えば、図７及び図８に示すように、バッテリー残量を３つに区分化されたバッテリー残量レベルに応じて、セルＡからセルＥまでのセルに対するＬＡを設定することができる。前記ネットワーク制御装置１０は、図７（ａ）に示すように、バッテリー残量が最大の区分としてのバッテリー残量レベル１の場合には、セルＡからセルＥまでの各々のセルに１対１でＬＡ１からＬＡ５までのＬＡを設定することができる。前記移動端末２０は、この場合には、セル間移動毎に前記位置登録要求を前記ネットワーク制御装置１０に送信する。
【００３７】
また、前記ネットワーク制御装置１０は、同図（ｂ）に示すように、バッテリー残量がバッテリー残量レベル１より少ない区分としてのバッテリー残量レベル２の場合には、セルＡ及びセルＢをＬＡ１とし、セルＣ及びセルＤをＬＡ２とし、セルＥをＬＡ３とし、基地局単位でＬＡを設定することができる。前記移動端末２０は、この場合には、基地局間移動毎に前記位置登録要求を前記ネットワーク制御装置１０に送信することから、セル間移動毎の位置登録要求の送信時と比較して送信頻度を抑えることとなり、バッテリー残量の比較的少ない状況ではバッテリー残量が十分な場合と比較してバッテリー消費の浪費を抑えることができる。
【００３８】
また、前記ネットワーク制御装置１０は、図８に示すように、バッテリー残量が最小の区分としてのバッテリー残量レベル３の場合には、セルＡ、セルＢ、セルＣ及びセルＤをＬＡ１とし、セルＥをＬＡ２とし、基地局を跨いでＬＡを設定することができる。前記移動端末２０は、この場合には、基地局間よりも広い範囲の移動で前記位置登録要求を前記ネットワーク制御装置１０に送信することから、基地局間移動毎の位置登録要求の送信時と比較して送信頻度をさらに抑えることとなり、バッテリー残量の相当少ない状況ではバッテリー消費の浪費を最小限に抑えることができる。
【００３９】
このように、本願に開示する位置登録制御システムは、前記ネットワーク制御装置１０及び前記移動端末２０を組み合せて構成されることから、常に最新の状況を反映した位置登録要求情報としてのＬＡを設定できることとなり、前記ネットワーク制御装置１０及び前記移動端末２０における設定タイムラグによる認識相違を防止してＬＡの設定精度を高め、前記移動端末２０のバッテリー消費の抑制及び前記ネットワーク制御装置１０におけるネットワーク負荷の軽減を効率良く実現することができる。
【００４０】
また、本実施形態に係る移動端末２０のハードウエア構成は、ＣＰＵ、メモリ、記憶装置、ディスプレイ、無線通信装置、テンキー、及び上記各部を接続するバスからなる。また、本実施形態に係るネットワーク制御装置１０のハードウエア構成は、ＣＰＵ、メモリ、記憶装置、ディスプレイ、無線通信装置、及び上記各部を接続するバスからなる。
【００４１】
（本発明の第２の実施形態）
以下、本発明の第２の実施形態に係る位置登録制御システムを、図９に基づいて説明する。この図９は本発明の第２の実施形態に係る位置登録制御システムの構成を示すブロック図を示す。
本実施形態に係る位置登録制御システムは、前記第１の実施形態を記載した図１と同様のネットワーク制御装置１０を備え、前記移動端末２０に機能追加を行うものである。
【００４２】
本実施形態に係る移動端末２０は、前記第１の実施形態を記載した図１と同様に、前記端末側送信手段２１と、前記端末側受信手段２２と、前記電池残量情報２３ａと、前記電池残量検知手段２３と、 前記端末側位置登録エリア情報２４ａと、前記エリア選択手段２４と、前記移動検知手段２５と、前記位置登録要求生成手段２６と、前記周期報告手段２７と、前記報告間隔変更手段２７１とを備え、さらに、一定時間内に発生した着信回数を記憶する着信回数情報２８ａに基づいて着信頻度を検出する着信頻度検出手段２８と、着信頻度の増大とともに前記位置登録要求情報に含まれる電池残量を増大させたものと擬制する電池残量擬制手段２９と、この電池残量検知手段２８により検知された電池残量及び前記着信頻度に基づいて、この電池残量擬制手段２９による電池残量の擬制の度合いを調整する調整手段２９１とを追加で備える構成である。
前記着信回数情報２８ａは、着信回数をカウントして保持する。また、前記着信回数情報２８ａは、一定時間経過時には、再度、着信回数をゼロからカウントして保持する。
【００４３】
また、本実施形態に係るネットワーク制御装置１０及び移動端末２０を含み構成される位置登録制御システムは、前記第１の実施形態を記載した図３と同様に、前記上位ノード１０Ａと、前記無線ネットワーク装置１０Ｂと、前記基地局１０Ｃと、前記移動端末２０とを備えることができる。
【００４４】
以下、前記構成に基づく本実施形態の位置登録制御システムにおける前記第１の実施形態に追加された動作について説明する。
前記移動端末２０は、前記第１の実施形態に記載された図６に示すように、前記Ｓ２５にて前記基地局１０Ｃからの着信要求を受信した場合に、前記着信回数情報２８ａに着信回数をカウントして保持する処理が追加される。前記着信頻度検出手段２８は、前記着信回数情報２８ａに基づいて、一定時間における着信頻度を演算して検出する。
【００４５】
次に、前記移動端末２０は、前記第１の実施形態に記載された図４（ｂ）に示すように、前記Ｓ１１にて送信される位置登録要求情報に含まれるバッテリー残量に関して、前記着信頻度に応じたバッテリー残量をみなし演算する処理が追加される。このみなし演算は、前記着信頻度の増大とともに、前記位置登録要求情報に含まれるバッテリー残量を増大させたものとみなして、前記電池残量擬制手段２９により実施される。
【００４６】
前記電池残量擬制手段２９は、例えば、前記着信頻度に対して閾値を設定し、前記着信頻度がこの閾値を超過した場合に、前記位置登録要求情報に含まれるバッテリー残量を増大させることができる。このように、前記電池残量擬制手段２９は、前記着信頻度の増大とともに、前記位置登録要求情報に含まれるバッテリー残量を増大させたものとみなすことから、頻繁に着信を行っている場合には、位置登録エリアとしてのＬＡの拡張を抑制することとなり、着信時の前記ネットワーク制御装置１０との通信によるネットワーク負荷を軽減することができる。
【００４７】
また、前記調整手段２９１は、さらに電池残量検知手段２３により検知された実際のバッテリー残量を考慮して、前記電池残量擬制手段２９のみなし演算によるバッテリー残量の値を調整することができる。前記調整手段２９１は、例えば、前記みなし演算により前記位置登録要求情報に含まれるバッテリー残量が増大される場合であっても、前記電池残量検知手段２３により検知されたバッテリー残量が少ない場合には、このバッテリー残量の増大幅を減少させることができる。このように、前記調整手段２９１は、バッテリー残量に基づいて、前記電池残量擬制手段２９のみなし演算によるバッテリー残量を調整することから、着信頻度と実際のバッテリー残量との最適なバランスを考慮して前記位置登録要求情報に含まれるバッテリー残量のみなし演算を調整することとなり、前記ネットワーク制御装置１０との通信によるネットワーク負荷の軽減とバッテリー消費の抑制との最適な両立を実現することができる。
【００４８】
［付記］  以上の実施例を含む実施形態に関し、更に以下の付記を開示する。
（付記１）基地局を介して、位置登録エリアを含む報知情報を移動端末に送信し、当該報知情報の応答として当該移動端末から受信した位置登録要求情報に基づいて当該移動端末の位置登録を行い、当該移動端末の通信を制御するネットワーク制御装置において、電池残量ごとにパターン化された複数の管理レベルに区分され、当該管理レベル及び当該管理レベルに含まれる位置登録エリアを特定する前記報知情報を前記移動端末に少なくとも送信する制御側送信手段と、前記移動端末から前記移動端末の電池残量を含む位置登録要求情報を少なくとも受信する制御側受信手段と、前記位置登録要求情報に基づいて、前記電池残量の増減とともに前記移動端末に対する前記位置登録エリアを可変に設定するエリア設定手段とを備えるネットワーク制御装置。
【００４９】
（付記２）ネットワーク制御装置から受信した位置登録エリアを含む報知情報の応答として、現在地の位置情報を含む位置登録要求情報を少なくとも電源起動時に当該ネットワーク制御装置へ送信する端末側送信手段を備える移動端末について、電池残量ごとにパターン化された複数の管理レベルに区分され、当該管理レベル及び当該管理レベルに含まれる位置登録エリアを特定する前記報知情報を受信する端末側受信手段と、電池残量を検知する電池残量検知手段と、前記受信した報知情報及び前記検知した電池残量に基づいて、前記複数の管理レベルのいずれかを選択するエリア選択手段と、前記検知された電池残量を含めて前記位置登録要求情報を生成する位置登録要求生成手段とを備え、前記端末側送信手段が、前記位置登録要求生成手段により生成された位置登録要求情報を前記ネットワーク制御装置へ送信する移動端末。
【００５０】
（付記３）前記エリア選択手段により特定された位置登録エリアに基づいて、当該位置登録エリア間の移動が発生したかを検知する移動検知手段を備え、前記位置登録要求生成手段が、前記電池残量が変化した場合又は前記位置登録エリア間の移動が発生した場合に、前記電池残量を含めた前記位置登録要求情報を生成する付記２に記載の移動端末。
【００５１】
（付記４）一定の周期時間に基づいて前記位置登録要求情報を周期的に前記端末側送信手段へ出力する周期報告手段と、前記電池残量に基づいて動的に前記周期時間を変更する報告間隔変更手段とを備える付記２又は付記３に記載の移動端末。
【００５２】
（付記５）一定時間内に発生した着信回数に基づいて着信頻度を検出する着信頻度検出手段と、前記着信頻度の増大とともに、前記位置登録要求情報における電池残量を増大させたものと擬制する電池残量擬制手段とを備える付記２ないし付記４に記載の移動端末。
【００５３】
（付記６）前記電池残量検知手段により検知された電池残量及び前記着信頻度検出手段により検出された着信頻度に基づいて、前記電池残量擬制手段による電池残量の擬制の度合いを調整する調整手段を備える付記５に記載の移動端末。
【００５４】
（付記７）付記１に記載のネットワーク制御装置と、付記２ないし付記６に記載の移動端末とを組み合せて構成される位置登録制御システム。
【００５５】
（付記８）基地局を介して、位置登録エリアを含む報知情報を移動端末に送信し、当該報知情報の応答として当該移動端末から受信した位置登録要求情報に基づいて当該移動端末の位置登録を行い、当該移動端末の通信を制御するネットワーク制御方法において、電池残量ごとにパターン化された複数の管理レベルに区分され、当該管理レベル及び当該管理レベルに含まれる位置登録エリアを特定する前記報知情報を前記移動端末に少なくとも送信する制御側送信工程と、前記移動端末から前記移動端末の電池残量を含む位置登録要求情報を少なくとも受信する制御側受信工程と、前記位置登録要求情報に基づいて、前記電池残量の増減とともに前記移動端末に対する前記位置登録エリアを可変に設定するエリア設定工程とを備えるネットワーク制御方法。
【００５６】
（付記９）ネットワーク制御方法から受信した位置登録エリアを含む報知情報の応答として、現在地の位置情報を含む位置登録要求情報を少なくとも電源起動時に当該ネットワーク制御方法へ送信する端末側送信工程を備える移動端末制御方法について、電池残量ごとにパターン化された複数の管理レベルに区分され、当該管理レベル及び当該管理レベルに含まれる位置登録エリアを特定する前記報知情報を受信する端末側受信工程と、電池残量を検知する電池残量検知工程と、前記受信した報知情報及び前記検知した電池残量に基づいて、前記複数の管理レベルのいずれかを選択するエリア選択工程と、前記検知された電池残量を含めて前記位置登録要求情報を生成する位置登録要求生成工程とを備え、前記端末側送信工程が、前記位置登録要求生成工程により生成された位置登録要求情報を前記ネットワーク制御方法へ送信する移動端末制御方法。
【００５７】
（付記１０）前記エリア選択工程により特定された位置登録エリアに基づいて、当該位置登録エリア間の移動が発生したかを検知する移動検知工程を備え、前記位置登録要求生成工程が、前記電池残量が変化した場合又は前記位置登録エリア間の移動が発生した場合に、前記電池残量を含めた前記位置登録要求情報を生成する付記９に記載の移動端末制御方法。
【００５８】
（付記１１）一定の周期時間に基づいて前記位置登録要求情報を周期的に前記端末側送信工程へ出力する周期報告工程と、前記電池残量に基づいて動的に前記周期時間を変更する報告間隔変更工程とを備える付記９又は付記１０に記載の移動端末制御方法。
【００５９】
（付記１２）一定時間内に発生した着信回数に基づいて着信頻度を検出する着信頻度検出工程と、前記着信頻度の増大とともに、前記位置登録要求情報における電池残量を増大させたものと擬制する電池残量擬制工程とを備える付記９ないし付記１１に記載の移動端末制御方法。
【００６０】
（付記１３）前記電池残量検知工程により検知された電池残量及び前記着信頻度検出工程により検出された着信頻度に基づいて、前記電池残量擬制工程による電池残量の擬制の度合いを調整する調整工程を備える付記１２に記載の移動端末制御方法。
【００６１】
（付記１４）付記８に記載のネットワーク制御方法と、付記９ないし付記１３に記載の移動端末制御方法とを組み合せて構成される位置登録制御システム制御方法。
【００６２】
（付記１５）基地局を介して、位置登録エリアを含む報知情報を移動端末に送信し、当該報知情報の応答として当該移動端末から受信した位置登録要求情報に基づいて当該移動端末の位置登録を行い、当該移動端末の通信を制御するようにコンピュータを機能させるネットワーク制御プログラムにおいて、電池残量ごとにパターン化された複数の管理レベルに区分され、当該管理レベル及び当該管理レベルに含まれる位置登録エリアを特定する前記報知情報を前記移動端末に少なくとも送信する制御側送信手段、前記移動端末から前記移動端末の電池残量を含む位置登録要求情報を少なくとも受信する制御側受信手段、前記位置登録要求情報に基づいて、前記電池残量の増減とともに前記移動端末に対する前記位置登録エリアを可変に設定するエリア設定手段としてコンピュータを機能させるネットワーク制御プログラム。
【００６３】
（付記１６）ネットワーク制御装置から受信した位置登録エリアを含む報知情報の応答として、現在地の位置情報を含む位置登録要求情報を少なくとも電源起動時に当該ネットワーク制御装置へ送信する端末側送信手段としてコンピュータを機能させる移動端末について、電池残量ごとにパターン化された複数の管理レベルに区分され、当該管理レベル及び当該管理レベルに含まれる位置登録エリアを特定する前記報知情報を受信する端末側受信手段、電池残量を検知する電池残量検知手段、 前記受信した報知情報及び前記検知した電池残量に基づいて、前記複数の管理レベルのいずれかを選択するエリア選択手段、前記検知された電池残量を含めて前記位置登録要求情報を生成する位置登録要求生成手段としてコンピュータを機能させ、前記端末側送信手段が、前記位置登録要求生成手段により生成された位置登録要求情報を前記ネットワーク制御装置へ送信するようにコンピュータを機能させる移動端末制御プログラム。
【００６４】
（付記１７）前記エリア選択手段により特定された位置登録エリアに基づいて、当該位置登録エリア間の移動が発生したかを検知する移動検知手段としてコンピュータを機能させ、前記位置登録要求生成手段が、前記電池残量が変化した場合又は前記位置登録エリア間の移動が発生した場合に、前記電池残量を含めた前記位置登録要求情報を生成するようにコンピュータを機能させる付記１６に記載の移動端末制御プログラム。
【００６５】
（付記１８）一定の周期時間に基づいて前記位置登録要求情報を周期的に前記端末側送信手段へ出力する周期報告手段、前記電池残量に基づいて動的に前記周期時間を変更する報告間隔変更手段としてコンピュータを機能させる付記１６又は付記１７に記載の移動端末制御プログラム。
【００６６】
（付記１９）一定時間内に発生した着信回数に基づいて着信頻度を検出する着信頻度検出手段、前記着信頻度の増大とともに、前記位置登録要求情報における電池残量を増大させたものと擬制する電池残量擬制手段としてコンピュータを機能させる付記１６ないし付記１８に記載の移動端末制御プログラム。
【００６７】
（付記２０）前記電池残量検知手段により検知された電池残量及び前記着信頻度検出手段により検出された着信頻度に基づいて、前記電池残量擬制手段による電池残量の擬制の度合いを調整する調整手段としてコンピュータを機能させる付記１９に記載の移動端末制御プログラム。
【００６８】
（付記２１）付記１５に記載のネットワーク制御プログラムと、付記１６ないし付記２０に記載の移動端末制御プログラムとを組み合せて構成される位置登録制御システム制御プログラム。
【図面の簡単な説明】
【００６９】
【図１】本発明の第１の実施形態に係る位置登録制御システムの構成を示すブロック図
【図２】本発明の第１の実施形態に係る位置登録制御システムのデータレイアウト例
【図３】本発明の第１の実施形態に係る位置登録制御システムの全体構成図
【図４】本発明の第１の実施形態に係る位置登録制御システムの報知情報通知及び位置登録要求のシーケンス図
【図５】本発明の第１の実施形態に係る位置登録制御システムの制御側位置登録エリア情報のデータ例
【図６】本発明の第１の実施形態に係る位置登録制御システムの着信時のページング要求のシーケンス図
【図７】本発明の第１の実施形態に係る位置登録制御システムのバッテリー残量に応じたＬＡ設定例（１／２）
【図８】本発明の第１の実施形態に係る位置登録制御システムのバッテリー残量に応じたＬＡ設定例（２／２）
【図９】本発明の第２の実施形態に係る位置登録制御システムの構成を示すブロック図
【符号の説明】
【００７０】
１０  ネットワーク制御装置
１０Ａ  上位ノード
１０Ｂ  無線ネットワーク制御装置
１０Ｃ  基地局
１１  制御側送信手段
１２  制御側受信手段
１３  エリア設定手段
１３ａ  制御側位置登録エリア情報
１３ａ−１  ページングリストＤＢ
１３ａ−２  ユーザリストＤＢ
２０  移動端末
２１  端末側送信手段
２２  端末側受信手段
２３  電池残量検知手段
２３ａ  電池残量情報
２４  エリア選択手段
２４ａ  端末側位置登録エリア情報
２５  移動検知手段
２６  位置登録要求生成手段
２７  周期報告手段
２７１  報告間隔変更手段
２８  着信頻度検出手段
２８ａ  着信回数情報
２９  電池残量擬制手段
２９１  調整手段
【図１】
2010081342.tif 000003
【図２】
2010081342.tif 000004
【図３】
2010081342.tif 000005
【図４】
2010081342.tif 000006
【図５】
2010081342.tif 000007
【図６】
2010081342.tif 000008
【図７】
2010081342.tif 000009
【図８】
2010081342.tif 000010
【図９】
2010081342.tif 000011